(57)【要約】【課題】源泉を利用した温泉施設において、プライベートを確保した少人数での入浴等を可能としつつ、温泉施設全体で比較的多くの利用者を受け入れることが可能な技術を提供する。【解決手段】温泉施設は、温泉浴槽を有する複数の個室と、温泉場から汲み上げた源泉の温度を調整する水温調整装置と、前記水温調整装置によって温度調整された後の前記源泉を、供給量を調整しながら各個室のそれぞれの温泉浴槽に供給する源泉供給装置と、前記源泉供給装置によって各温泉浴槽に供給される前記源泉を流通させるための源泉供給路と、を備える温泉施設。【選択図】図１
2009030881.tif 000002
【特許請求の範囲】
【請求項１】
温泉施設であって、
温泉浴槽を有する複数の個室と、
温泉場から汲み上げた源泉の温度を調整する水温調整装置と、
前記水温調整装置によって温度調整された後の前記源泉を、供給量を調整しながら各個室のそれぞれの温泉浴槽に供給する源泉供給装置と、
前記源泉供給装置によって各温泉浴槽に供給される前記源泉を流通させるための源泉供給路と、
を備える温泉施設。
【請求項２】
請求項１に記載の温泉施設において、
各個室は時間極で互いに異なる利用者によって利用可能であり、
前記源泉供給装置は、前記温泉施設の営業中において各温泉浴槽に差し湯を行い、前記温泉施設の営業終了後に各温泉浴槽に溜まった前記源泉を排水し、前記温泉施設の営業開始前に各温泉浴槽に張り湯を行い、
前記張り湯を行う際に、
（ｉ）前記源泉供給装置は、前記差し湯を行う際に比べて多量の源泉を各温泉浴槽に供給し、
（ｉｉ）前記水温調整装置は、前記差し湯を行う際に比べて前記源泉の温度が低くなるように調整する、温泉施設。
【請求項３】
請求項１または請求項２に記載の温泉施設であって、
さらに、各個室に市水を供給するための給水システムを備え、
前記給水システムは、
前記市水を溜める貯湯槽と、
前記貯湯槽に溜められた前記市水を各個室に供給するための給水路と、
前記貯湯槽に溜められた前記市水を循環させるための市水循環路と、
前記市水循環路を循環する前記市水を加熱するためのＮ台（Ｎは２以上の整数）のヒータと、
前記Ｎ台のヒータの運転を制御する運転制御部と、
前記貯湯槽の水温を測定する水温測定部と、
を有し、
前記運転制御部は、前記水温測定部の測定によって得られた測定水温に基づいて、前記Ｎ台のヒータの運転を制御する、温泉施設。
【請求項４】
請求項３に記載の温泉施設において、
前記運転制御部は、
（ｉ）前記測定水温が所定の第１の温度に達していない場合には、前記Ｎ台のヒータを加熱モードで運転させ、
（ｉｉ）前記測定水温が前記所定の第１の温度に達した場合には、前記Ｎ台のヒータのうち、Ｍ台（Ｍは１以上の整数）のヒータを保温モードで運転させ、
前記加熱モードにおいて、前記運転制御部は、前記Ｎ台のヒータのうち、前記測定水温に応じて予め定められているＰ台（Ｐは１以上の整数）のヒータを運転させ、
前記保温モードにおいて、前記運転制御部は、前記測定水温が前記第１の温度よりも低い所定の第２の温度まで低下した場合には、前記測定水温が前記第１の温度となるまで前記Ｍ台のヒータを運転させ、前記第１の温度に達した場合には前記Ｍ台のヒータの運転を停止させることを繰り返す、温泉施設。
【請求項５】
請求項４に記載の温泉施設において、
前記運転制御部は、前記保温モードにおいて運転させる前記Ｍ台数のヒータを、前記Ｎ台のヒータの中から所定の順序でローテーションさせる、温泉施設。
【請求項６】
請求項３ないし請求項５のいずれかに記載の温泉施設において、
前記源泉の温度は、前記市水の温度よりも高く、
前記水温調整装置は、前記源泉供給路と前記市水循環路とに接続され、前記源泉供給路によって供給される前記源泉と、前記市水循環路を循環する前記市水と、の間で熱交換を行って、前記源泉を冷却すると共に前記市水を加熱する、温泉施設。
【請求項７】
市水を取り扱う複数の個室を有する施設において各個室に前記市水を供給するための給水システムであって、
前記市水を溜める貯湯槽と、
前記貯湯槽に溜められた前記市水を各個室に供給するための給水路と、
前記貯湯槽に溜められた前記市水を循環させるための市水循環路と、
前記市水循環路を循環する前記市水を加熱するためのＮ台（Ｎは２以上の整数）のヒータと、
前記Ｎ台のヒータの運転を制御する運転制御部と、
前記貯湯槽の水温を測定する水温測定部と、
を備え、
前記運転制御部は、前記水温測定部の測定によって得られた測定水温に基づいて、前記Ｎ台のヒータの運転を制御する、給水システム。
【請求項８】
請求項７に記載の給水システムにおいて、
前記運転制御部は、
（ｉ）前記測定水温が所定の第１の温度に達していない場合には、前記Ｎ台のヒータを加熱モードで運転させ、
（ｉｉ）前記測定水温が前記所定の第１の温度に達した場合には、前記Ｎ台のヒータのうち、Ｍ台（Ｍは１以上の整数）のヒータを保温モードで運転させ、
前記加熱モードにおいて、前記運転制御部は、前記Ｎ台のヒータのうち、前記測定水温に応じて予め定められているＰ台（Ｐは１以上の整数）のヒータを運転させ、
前記保温モードにおいて、前記運転制御部は、前記測定水温が前記第１の温度よりも低い所定の第２の温度まで低下した場合には、前記測定水温が前記第１の温度となるまで前記Ｍ台のヒータを運転させ、前記第１の温度に達した場合には前記Ｍ台のヒータの運転を停止させることを繰り返す、給水システム。
【請求項９】
請求項８に記載の給水システムにおいて、
前記運転制御部は、前記保温モードにおいて運転させる前記Ｍ台数のヒータを、前記Ｎ台のヒータの中から所定の順序でローテーションさせる、給水システム。
【発明の詳細な説明】
【技術分野】
【０００１】
本発明は、源泉や市水を複数の個室に供給する技術に関する。
【背景技術】
【０００２】
我が国では、源泉を汲み上げて利用する温泉施設が多数設けられている。このような温泉施設としては、例えば、温泉旅館や温水プール（いわゆるスパ）等が挙げられる。これらの温泉施設では、源泉を温度調整して、大型の浴槽に溜めて利用するのが一般的であった（下記特許文献１参照）。
【０００３】
【特許文献１】特開２００６−２０７９０７号公報
【発明の開示】
【発明が解決しようとする課題】
【０００４】
上記のような大型の浴槽を有する温泉施設では、浴槽の数は、男女別に１つずつの合計２つなど比較的少ないことが多い。したがって、例えば、家族や友人などのグループ単位でプライバシーを確保しつつ入浴等したいといった要請に十分に応えられるものではなかった。また、浴槽数が少ないため、浴槽等のメンテナンスを行う場合、全く入浴等ができないか、或いは、利用者数が限られてしまうといった問題もあった。
【０００５】
本発明は、源泉を利用した温泉施設において、プライバシーを確保した少人数での入浴等を可能としつつ、温泉施設全体で比較的多くの利用者を受け入れることが可能な技術を提供することを目的とする。
【課題を解決するための手段】
【０００６】
本発明は、上述の課題の少なくとも一部を解決するためになされたものであり、以下の形態又は適用例として実現することが可能である。
【０００７】
［適用例１］温泉施設であって、温泉浴槽を有する複数の個室と、温泉場から汲み上げた源泉の温度を調整する水温調整装置と、前記水温調整装置によって温度調整された後の前記源泉を、供給量を調整しながら各個室のそれぞれの温泉浴槽に供給する源泉供給装置と、前記源泉供給装置によって各温泉浴槽に供給される前記源泉を流通させるための源泉供給路と、を備える温泉施設。
【０００８】
適用例１の温泉施設は、温泉浴槽を有する複数の個室を備えるので、家族や友人同士といったグループ単位でのプライバシーを確保した上での温泉入浴が可能となると共に、温泉施設全体として比較的多くの利用者を受け入れることができ、また、一部の個室において温泉浴槽等のメンテナンスを行う場合であっても、他の個室を利用することができるので、メンテナンス時において利用可能人数が大幅に減ることを抑制することができる。
【０００９】
［適用例２］適用例１に記載の温泉施設において、各個室は時間極で互いに異なる利用者によって利用可能であり、前記源泉供給装置は、前記温泉施設の営業中において各温泉浴槽に差し湯を行い、前記温泉施設の営業終了後に各温泉浴槽に溜まった前記源泉を排水し、前記温泉施設の営業開始前に各温泉浴槽に張り湯を行い、前記張り湯を行う際に、（ｉ）前記源泉供給装置は、前記差し湯を行う際に比べて多量の源泉を各温泉浴槽に供給し、（ｉｉ）前記水温調整装置は、前記差し湯を行う際に比べて前記源泉の温度が低くなるように調整する、温泉施設。
【００１０】
このようにすることで、時間極で互いに異なる利用者によって利用することができ、より多くの利用者が温泉施設を利用することができる。また、張り湯を行う際には差し湯を行う際に比べて源泉の温度が低くなるように調整するので、張り湯の際には、差し湯の際に比べて源泉からより多くの熱を奪うことができる。また、差し湯の際に利用される源泉の温度は、張り湯の際の源泉の温度に比べて高くなるので、温泉浴槽内に溜められた源泉の放熱による温度低下を抑制することができる。
【００１１】
［適用例３］適用例１または適用例２に記載の温泉施設であって、さらに、各個室に市水を供給するための給水システムを備え、前記給水システムは、前記市水を溜める貯湯槽と、前記貯湯槽に溜められた前記市水を各個室に供給するための給水路と、前記貯湯槽に溜められた前記市水を循環させるための市水循環路と、前記市水循環路を循環する前記市水を加熱するためのＮ台（Ｎは２以上の整数）のヒータと、前記Ｎ台のヒータの運転を制御する運転制御部と、前記貯湯槽の水温を測定する水温測定部と、を有し、前記運転制御部は、前記水温測定部の測定によって得られた測定水温に基づいて、前記Ｎ台のヒータの運転を制御する、温泉施設。
【００１２】
このようにすることで、市水を加熱するのに複数台のヒータを用いるので、個々のヒータは比較的処理能力の低いヒータ（例えば家庭用ボイラ等）を採用することができ、多量の市水を加熱可能な専用ヒータを用いる構成に比べて温泉施設の構築費用を低廉に抑えることができる。また、故障時における交換部品等も比較的安価で手に入れることができ、温泉施設のメンテナンスコストの上昇を抑えることができる。また、１台のヒータが故障した場合であっても、残りのヒータを用いて市水の加熱や保温を行うことができる。
【００１３】
［適用例４］適用例３に記載の温泉施設において、前記運転制御部は、（ｉ）前記測定水温が所定の第１の温度に達していない場合には、前記Ｎ台のヒータを加熱モードで運転させ、（ｉｉ）前記測定水温が前記所定の第１の温度に達した場合には、前記Ｎ台のヒータのうち、Ｍ台（Ｍは１以上の整数）のヒータを保温モードで運転させ、前記加熱モードにおいて、前記運転制御部は、前記Ｎ台のヒータのうち、前記測定水温に応じて予め定められているＰ台（Ｐは１以上の整数）のヒータを運転させ、前記保温モードにおいて、前記運転制御部は、前記測定水温が前記第１の温度よりも低い所定の第２の温度まで低下した場合には、前記測定水温が前記第１の温度となるまで前記Ｍ台のヒータを運転させ、前記第１の温度に達した場合には前記Ｍ台のヒータの運転を停止させることを繰り返す、温泉施設。
【００１４】
このようにすることで、加熱モードにおいては、例えば、測定水温が上昇するにしたがって運転させるヒータの台数を徐々に減らすといったように、柔軟な運転制御を行うことができ、ヒータの燃料や電気代等のランニングコストを低廉に抑えるような運転が可能となる。また、保温モードにおいてＭ台のヒータを第１の温度を保つように、運転と停止とを繰り返すようにしているので、常時Ｎ台のヒータを運転させておく構成に比べて、ランニングコストを低廉に抑えることが可能となる。
【００１５】
［適用例５］適用例４に記載の温泉施設において、前記運転制御部は、前記保温モードにおいて運転させる前記Ｍ台数のヒータを、前記Ｎ台のヒータの中から所定の順序でローテーションさせる、温泉施設。
【００１６】
このようにすることで、保温モードにおいて特定のヒータのみを運転させる構成に比べて、特定のヒータにおける極端な経時劣化を抑え、安定した市水の温度調整を実現することができる。
【００１７】
［適用例６］適用例３ないし適用例５のいずれかに記載の温泉施設において、前記源泉の温度は、前記市水の温度よりも高く、前記水温調整装置は、前記源泉供給路と前記市水循環路とに接続され、前記源泉供給路によって供給される前記源泉と、前記市水循環路を循環する前記市水と、の間で熱交換を行って、前記源泉を冷却すると共に前記市水を加熱する、温泉施設。
【００１８】
このようにすることで、源泉の熱を利用して市水を加熱することができるので、市水の加熱や保温のために要するヒータの燃料や電気代等のランニングコストを低廉に抑えることができる。
【００１９】
［適用例７］市水を取り扱う複数の個室を有する施設において各個室に前記市水を供給するための給水システムであって、前記市水を溜める貯湯槽と、前記貯湯槽に溜められた前記市水を各個室に供給するための給水路と、前記貯湯槽に溜められた前記市水を循環させるための市水循環路と、前記市水循環路を循環する前記市水を加熱するためのＮ台（Ｎは２以上の整数）のヒータと、前記Ｎ台のヒータの運転を制御する運転制御部と、前記貯湯槽の水温を測定する水温測定部と、を備え、前記運転制御部は、前記水温測定部の測定によって得られた測定水温に基づいて、前記Ｎ台のヒータの運転を制御する、給水システム。
【００２０】
適用例７の給水システムでは、市水を加熱するのに複数台のヒータを用いるので、個々のヒータは比較的処理能力の低いヒータ（例えば家庭用ボイラ等）を採用することができ、多量の市水を加熱可能な専用ヒータを用いる構成に比べて温泉施設の構築費用を低廉に抑えることができる。また、故障時における交換部品等も比較的安価で手に入れることができ、温泉施設のメンテナンスコストの上昇を抑えることができる。また、１台のヒータが故障した場合であっても、残りのヒータを用いて市水の加熱や保温を行うことができる。
【００２１】
［適用例８］適用例７に記載の給水システムにおいて、前記運転制御部は、（ｉ）前記測定水温が所定の第１の温度に達していない場合には、前記Ｎ台のヒータを加熱モードで運転させ、（ｉｉ）前記測定水温が前記所定の第１の温度に達した場合には、前記Ｎ台のヒータのうち、Ｍ台（Ｍは１以上の整数）のヒータを保温モードで運転させ、前記加熱モードにおいて、前記運転制御部は、前記Ｎ台のヒータのうち、前記測定水温に応じて予め定められているＰ台（Ｐは１以上の整数）のヒータを運転させ、前記保温モードにおいて、前記運転制御部は、前記測定水温が前記第１の温度よりも低い所定の第２の温度まで低下した場合には、前記測定水温が前記第１の温度となるまで前記Ｍ台のヒータを運転させ、前記第１の温度に達した場合には前記Ｍ台のヒータの運転を停止させることを繰り返す、給水システム。
【００２２】
このようにすることで、加熱モードにおいては、例えば、測定水温が上昇するにしたがって運転させるヒータの台数を徐々に減らすといったように、柔軟な運転制御を行うことができ、ヒータの燃料や電気代等のランニングコストを低廉に抑えるような運転が可能となる。また、保温モードにおいてＭ台のヒータを第１の温度を保つように、運転と停止とを繰り返すようにしているので、常時Ｎ台のヒータを運転させておく構成に比べて、ランニングコストを低廉に抑えることが可能となる。
【００２３】
［適用例９］適用例８に記載の給水システムにおいて、前記運転制御部は、前記保温モードにおいて運転させる前記Ｍ台数のヒータを、前記Ｎ台のヒータの中から所定の順序でローテーションさせる、給水システム。
【００２４】
このようにすることで、保温モードにおいて特定のヒータのみを運転させる構成に比べて、特定のヒータにおける極端な経時劣化を抑え、安定した市水の温度調整を実現することができる。
【発明を実施するための最良の形態】
【００２５】
以下、本発明を実施するための最良の形態を実施例に基づいて以下の順序で説明する。
Ａ．実施例：
Ｂ．変形例：
【００２６】
Ａ．実施例：
Ａ１．設備構成：
図１は、本発明の一実施例としての温泉施設の外観を模式的に示す平面図である。この温泉施設７００は、玄関７０１と、エントランスホール７１０と、４つの予備室７２１〜７２４と、中央通路７３０の両側に配置された合計１２部屋の個室Ｒ１〜Ｒ１２と、を備えている。
【００２７】
エントランスホール７１０は、受付カウンタ７０２と、待合用椅子７０３と、を備えている。玄関７０１から来場した利用者は、受付カウンタ７０２において受け付けをし、個室に案内されるまで待合用椅子７０３において待つことができる。４つの予備室７２１〜７２４は、厨房やロッカールームやタオル等をストックするための部屋として用いられる。
【００２８】
６つの個室Ｒ１〜Ｒ６は、それぞれ１つの浴槽を備えている。例えば、個室Ｒ１は、浴槽１ｂを備えている。同様に、個室Ｒ２は浴槽２ｂを、個室Ｒ３は浴槽３ｂを、個室Ｒ４は浴槽４ｂを、個室Ｒ５は浴槽５ｂを、個室Ｒ６は浴槽６ｂを、それぞれ備えている。また、６つの個室Ｒ７〜Ｒ１２は、それぞれ２つの浴槽を備えている。例えば、個室Ｒ７は、浴槽７ｂと浴槽７１ｂとを備えている。同様に、個室Ｒ８は浴槽８ｂと８１ｂとを、個室Ｒ９は浴槽９ｂと９１ｂとを、個室Ｒ１０は浴槽１０ｂと１０１ｂとを、個室Ｒ１１は浴槽１１ｂと１１１ｂとを、個室Ｒ１２は浴槽１２ｂと１２１ｂとを、それぞれ備えている。各浴槽は、一度に２〜４名程度が入浴可能な比較的小型の浴槽である。前述の６つの浴槽７１ｂ〜１２１ｂは、いわゆる露天風呂であり、残りの１２個の浴槽１ｂ〜１２ｂは、いわゆる内湯である。なお、個室数は１２に限らず任意の数とすることもできる。また、各個室が備える浴槽数も１つ又は２つに限らず任意の数とすることもできる。
【００２９】
上述の合計１８個の浴槽は、それぞれ源泉供給路２００に接続されている。そして、これら１８個の浴槽には、図示せざる源泉井戸から汲み上げられた源泉が源泉供給路２００を介して供給される。温泉施設７００では、各浴槽に供給した源泉は循環させず、いわゆる源泉掛け流しを行っている。
【００３０】
この温泉施設７００では、日帰り専用で各個室Ｒ１〜Ｒ１２を時間極めで賃貸している。換言すると、温泉施設７００は、複数の個室浴場を備える日帰り温泉施設である。温泉施設７００では、利用者が予め利用する部屋及び利用時間帯を予約しておき、かかる予約に基づいて来場した利用者に個室を提供する。営業時間内においては、各浴槽に比較的高い温度の差し湯を常時行うようにして、浴槽に溜まった源泉の温度が放熱によって低下することを抑制している。営業を終了した後は、全ての浴槽から源泉を排水し、また、差し湯を止めるようにしている。これは、営業時間中に用いる源泉の量が、源泉井戸（図示省略）から湧き出す源泉量よりも多いことから、営業終了後に源泉の利用を止めて営業時間中に使用する分の源泉を蓄えておくためである。そして、温泉施設７００では、翌日の営業開始の前に、各浴槽に張り湯を行うようにしている。
【００３１】
図２は、図１に示す温泉施設７００における源泉及び市水の供給システムを示す説明図である。この供給システム１０００は、各個室に源泉を供給するための源泉供給システム８００と、各個室に市水（水道水）を供給するための給水システム９００と、源泉供給システム８００と給水システム９００との間で熱交換を行うための熱交換機３００と、を備えている。ここで、各個室には、各浴槽に源泉を導く源泉栓と、給水栓と、が設けられている。例えば、図２の例では、個室Ｒ１には源泉栓１ａと給水栓１ｃとが設けられており、個室Ｒ２には源泉栓２ａと給水栓２ｃとが設けられている。そして、源泉供給システム８００は、源泉井戸３０から汲み上げた源泉を各個室の源泉栓（１ａ，２ａ等）まで導き、給水システム９００は、市水を各個室の給水栓（１ｃ，２ｃ等）まで導く。
【００３２】
具体的には、源泉供給システム８００は、源泉井戸３０内に配置されたポンプＰ１と、ポンプＰ１の動作を制御するコントローラＣ１と、シャットバルブＢ１と、源泉タンク５０と、源泉タンク５０内の水位を感知するレベルセンサＬＳと、レベルセンサＬＳからの信号を受信するレベルコントローラＬＣと、シャットバルブＢ２と、源泉タンク５０内に溜められた源泉を汲み出すためのポンプＰ２と、ポンプＰ２における源泉の流通量をインバータ制御するコントローラＩＶ１と、２つの温度指示調節計ＴＩＣ１，ＴＩＣ２と、源泉供給路２００と、源泉供給路２００を流通する源泉の温度を検知する温度センサＴＳ１と、３つのリレー回路ｒ２，ｒ３，ｒ４と、を備えている。
【００３３】
源泉井戸３０からは源泉が湧き出ており、ポンプＰ１は、かかる源泉を汲み上げてシャットバルブＢ１を介して源泉タンク５０へと導く。源泉タンク５０に溜められた源泉は、ポンプＰ２によって、シャットバルブＢ２を介して汲み出され、熱交換機３００内を通って熱を奪われて源泉供給路２００に供給される。源泉供給路２００に供給された源泉は、各個室の源泉栓（１ａ，２ａ等）を介して各部屋の浴槽（１ｂ，２ｂ等）に供給される。ここで、ポンプＰ２は、張り湯を行う場合と差し湯を行う場合とで、源泉供給路２００における源泉の流通量を異なるようにする。具体的には、張り湯を行う場合には、１３９Ｌ（リットル）／分となり、差し湯を行う場合には、４７Ｌ／分となるように、源泉タンク５０から源泉を汲み出す。
【００３４】
なお、前述のレベルコントローラＬＣはレベルセンサＬＳからの水位を示す信号を受けて、コントローラＣ１又はコントローラＩＶ１に指示を与える。具体的には、源泉タンク５０が満水時には、コントローラＣ１に対してポンプＰ１の動作を停止させるように指示をし、減水時には、コントローラＩＶ１に対してポンプＰ２の動作を停止させるように指示する。
【００３５】
ここで、源泉供給システム８００内における源泉の温度変化について考えると、源泉井戸では、６７℃となっており、源泉タンク５０に溜められた源泉の温度は６５℃となる。そして、供給システム１０００では、源泉供給路２００を流通する源泉の温度を、張り湯を行う場合と差し湯を行う場合とで異なるように調整している。具体的には、張り湯を行う場合には４５℃とし、差し湯を行う場合には５５℃となるように調整している。かかる源泉の温度調整については後述する。
【００３６】
給水システム９００は、貯湯槽１００と、シャットバルブＢ４と、５つのヒータ（第１ヒータｈ１，第２ヒータｈ２，第３ヒータｈ３，第４ヒータｈ４，第５ヒータｈ５）と、ローテーション制御部１５０と、温度センサＴＳ２と、温度指示調節計ＴＩＣ３と、各個室の給水栓と接続する給水路２５０（１点鎖線）と、給水路２５０上に配置されて貯湯槽１００内に溜められた市水を汲み出すポンプＰ４と、貯湯槽１００内に溜められた市水を循環させるための市水循環路２６０（太い実線）と、市水循環路２６０上に配置されて貯湯槽１００内に溜められた市水を汲み出すポンプＰ３と、ポンプＰ３における源泉の流通量をインバータ制御するコントローラＩＶ２と、市水循環路２６０に設けられた２つの３方弁Ｂ３，Ｂ５と、３方弁Ｂ３に接続されているバイパス流路１８０と、３方弁Ｂ５に接続されているバイパス流路１９０と、２つのリレー回路ｒ５，ｒ６と、切替スイッチ１６０と、を備えている。
【００３７】
５つのヒータｈ１〜ｈ５は、市水循環路２６０上において互いに並列に接続されており、供給される市水をそれぞれ独立して温めることができる。温度指示調節計ＴＩＣ３は、貯湯槽１００内の水温を温度センサＴＳ２によって定期的に測定し、測定した水温に応じた信号（水温信号）をローテーション制御部１５０に送信する。ローテーション制御部１５０は、図示せざるＣＰＵやメモリを有しており、温度指示調節計ＴＩＣ３から受信した水温信号に基づいて５つのヒータｈ１〜ｈ５の運転を制御する。２つの３方弁Ｂ３，Ｂ５は、電磁弁であり、入力する信号に応じて弁の開閉制御を行い、市水の流通方向と流量とを制御する。
【００３８】
貯湯槽１００には、図示せざる水道から供給される補給水（市水）がシャットバルブＢ４を介して供給される。貯湯槽１００に溜められた市水は、ポンプＰ４によって汲み出され、給水路２５０を介して各個室の給水栓（１ｃ，２ｃ等）に供給される。ここで、給水路２５０は、貯湯槽１００を起点及び終点とする循環路を形成している。したがって、給水路２５０を流れる市水のうち、各個室で利用されずに残った市水は貯湯槽１００に戻されることとなる。なお、給水路２５０における市水の循環は、温泉施設７００の営業時間に関わりなく常時行われている。これは、例えば、営業終了後における各個室の清掃等に利用されることを目的とする。
【００３９】
貯湯槽１００に溜められた市水は、上述したポンプＰ４に加えてさらにポンプＰ３によっても汲み出され、市水循環路２６０に供給される。この市水循環路２６０は、上述した給水路２５０と同様に、貯湯槽１００を起点及び終点とする循環路を形成している。この市水循環路２６０は、源泉との熱交換に利用する市水を熱交換機３００に提供すると共に、各個室に提供する市水を一定の温度（目標温度Ｔａ＝５５℃）に保つために用いられる。
【００４０】
なお、前述の熱交換機３００は、請求項における水温調整装置に相当する。また、ポンプＰ２とコントローラＩＶ１とは請求項における源泉供給装置に、ローテーション制御部１５０は請求項における運転制御部に、温度センサＴＳ２と温度指示調節計ＴＩＣ３とは請求項における水温測定部に、それぞれ相当する。
【００４１】
Ａ２．源泉の温度調整：
供給システム１０００（図２）における源泉の温度調整は、熱交換機３００における源泉と市水との熱交換によって実現している。具体的には、ポンプＰ３によって貯湯槽１００から汲み出された市水は、熱交換機３００に供給され、熱交換機３００において比較的温度の高い源泉（６５℃）から熱を奪う。ここで、張り湯の際には、源泉の温度を６５℃から４５℃まで下げる必要があり、また、源泉供給路２００における源泉の流通量も１３９Ｌ／分と差し湯に比べて多量となっている。そこで、給水システム９００では、張り湯の際には、熱交換機３００に供給する市水の量を、差し湯の際に比べて多量となるように調整する。
【００４２】
具体的には、張り湯を行うために係員が切替スイッチ１６０を操作して張り湯側に切り替えると、かかる切り替えを示す信号（以下、「張り湯信号」と呼ぶ）がリレー回路ｒ５を介してコントローラＩＶ２に伝えられる。コントローラＩＶ２は、張り湯信号を受信すると、ポンプＰ３における市水の流通量を増やすように制御する。そうすると、熱交換機３００に供給される市水量が増えて、給水路２５０に供給される源泉の温度が次第に低下することとなる。
【００４３】
ここで、２つの温度指示調節計ＴＩＣ１，ＴＩＣ２は、リレー回路ｒ４を介して３方弁Ｂ３に接続されている。そして、温度指示調節計ＴＩＣ１は、切替スイッチ１６０からの張り湯信号をリレー回路ｒ６，ｒ３，ｒ４を介して入力して動作を開始する。温度指示調節計ＴＩＣ１は、動作を開始すると、源泉供給路２００に供給される源泉の温度が４５℃を維持するようにフィードバック制御を行う。具体的には、温度センサＴＳ１において測定された源泉の温度が４５℃以下になった場合には、３方弁Ｂ３に対して、バイパス流路１８０を通る市水量を増やすように弁の開閉を指示する信号を送る。そうすると、熱交換機３００を通らずにバイパス流路１８０を通過する市水量が増えるので、源泉の温度の低下が抑制されて源泉の温度は上昇する。一方、源泉の温度が４５℃よりも高くなった場合には、３方弁Ｂ３に対して、バイパス流路１８０を通る市水量を減らすように弁の開閉を指示する信号を送る。そうすると、バイパス流路１８０を通過する市水量が減って熱交換機３００に供給される市水量が増えるので、源泉の温度は低下することとなる。
【００４４】
一方、差し湯を行うために、係員が切替スイッチ１６０を操作して差し湯側に切り替えると、かかる切り替えを示す信号（以下、「差し湯信号」と呼ぶ）がコントローラＩＶ２に伝えられる。コントローラＩＶ２は、差し湯信号を受信すると、ポンプＰ３における市水の流通量を減らすように制御する。これは、差し湯の際の源泉流通量は４７Ｌ／分と張り湯の際の流通量に比べて少なくなるので、熱交換機３００において源泉から熱を奪う市水の量も併せて減らす必要があるからである。温度指示調節計ＴＩＣ２は、切替スイッチ１６０からの差し湯信号を入力して動作を開始する。そして、温度指示調節計ＴＩＣ２は、上述した温度指示調節計ＴＩＣ１によるフィードバック制御と同様な制御を行って、源泉供給路２００に供給される源泉の温度が５５℃を維持するようにする。
【００４５】
Ａ３．市水の温度調整：
供給システム１０００（図２）では、各個室の給水栓に供給する市水の温度が目標温度Ｔａ（５５℃）を保つように調整している。この市水の温度調整は、貯湯槽１００に溜められた市水を市水循環路２６０で循環させると共に、ローテーション制御部１５０が貯湯槽１００の水温に応じて５つのヒータｈ１〜ｈ５の運転を制御することにより実現される。
【００４６】
図３は、貯湯槽１００に溜められた市水の温度変化を示すグラフである。営業が終了すると、温泉施設７００（図１）では、ポンプＰ３（図２）の動作を止め、市水循環路２６０における市水の循環を止める。また、ローテーション制御部１５０の電源もオフとして、市水の温度調整を行わないようにしている。一方、上述したように、給水路２５０における市水の循環は営業終了後も行っている。したがって、営業終了後において、貯湯槽１００からの放熱と給水路２５０における放熱とによって、貯湯槽１００に溜められた市水の温度は次第に低下する。そして、次の営業開始の際には、貯湯槽１００内の市水の温度は、例えば、４９℃以下となっている。
【００４７】
翌朝、営業開始のために、ポンプＰ３の電源がオンし、また、ローテーション制御部１５０の電源がオンすると、ローテーション制御部１５０は、温度指示調節計ＴＩＣ３から水温信号を受信する。図３の例では、ローテーション制御部１５０の電源がオンした時点をｔ０として、受信した水温信号の示す温度は４９℃よりも低い温度となっている。電源がオンした際に貯湯槽１００内の水温が目標温度Ｔａ（５５℃）に達していない場合に、ローテーション制御部１５０は、５台のヒータｈ１〜ｈ５を加熱モードで運転させる。
【００４８】
具体的には、ローテーション制御部１５０は、５台全てのヒータｈ１〜ｈ５の電源をオンして運転させる。そうすると、市水循環路２６０を流れる市水が５つのヒータｈ１〜ｈ５で温められるので、貯湯槽１００における水温は急激に上昇を始める。
【００４９】
貯湯槽１００内の水温が５１℃に達すると、ローテーション制御部１５０は、第５ヒータｈ５の電源をオフする。そうすると、４台のヒータｈ１〜ｈ４によって市水が温められることとなり、市水の温度上昇は若干鈍化する。そして、貯湯槽１００内の水温が５２℃に達すると、ローテーション制御部１５０は、さらに第４ヒータｈ４の電源をオフする。同様にして、ローテーション制御部１５０は、貯湯槽１００内の水温が５３℃に達するとさらに第３ヒータｈ３の電源をオフし、５４℃に達するとさらに第２ヒータｈ２の電源をオフする。そして、貯湯槽１００内の水温が目標温度Ｔａ（５５℃）に達すると（時刻＝ｔ１）、ローテーション制御部１５０は第１ヒータｈ１の電源をオフし、全てのヒータｈ１〜ｈ５の運転を停止させる。
【００５０】
なお、全てのヒータｈ１〜ｈ５の電源をオフした後も、貯湯槽１００内の水温は、０．５℃だけ上昇（オーバーシュート）する。これは、貯湯槽１００内の水温が実際に目標温度Ｔａに達してから、水温Ｔａを検知して５つのヒータｈ１〜ｈ５の電源をオフするまでの間において第１ヒータｈ１によって温められた市水が貯湯槽１００に供給されることなどに起因する。給水システム９００（図２）では、市水の水温が目標温度Ｔａ付近では運転するヒータの台数は１台だけなので、このオーバーシュートする温度幅を比較的狭くすることができる。
【００５１】
市水循環路２６０において全てのヒータｈ１〜ｈ５による加熱を停止すると、比較的低温（２０℃前後）の補給水の供給や、貯湯槽１００自体や給水路２５０における放熱等によって、貯湯槽１００内の水温は徐々に低下していく。ここで、ローテーション制御部１５０は、貯湯槽１００内の水温がひとたび目標温度Ｔａ（時刻＝ｔ１）に達すると、５つのヒータｈ１〜ｈ５を加熱モードから保温モードに切り替えて運転させるようにする。
【００５２】
具体的には、貯湯槽１００の水温が低下していき、所定の温度（Ｔａ−０．５℃）まで低下したら、５台のヒータｈ１〜ｈ５のうち１台のヒータ（以下、「保温用ヒータ」と呼ぶ）のみ電源をオンする。そうすると、貯湯槽１００内の水温は再び上昇を始める。そして、貯湯槽１００内の水温が再び目標温度Ｔａに達すると、ローテーション制御部１５０は、運転させていた１台のヒータの電源をオフする。このようにして、ローテーション制御部１５０は、保温モードにおいて、１台の保温用ヒータの電源のオン／オフを繰り返すことで、貯湯槽１００内の市水の平均水温が目標温度Ｔａ（５５℃）を保つように調整する。
【００５３】
ここで、給水システム９００では、保温用ヒータとして特定のヒータを固定的に用いることはせずに、５つのヒータｈ１〜ｈ５をローテーションさせて用いるようにしている。具体的には、第１ヒータｈ１，第２ヒータｈ２，第３ヒータｈ３，第４ヒータｈ４，第５ヒータｈ５の順番でローテーションさせて用いる。かかるローテーションは、例えば、ローテーション制御部１５０の電源がオンする度に実行したり、保温用ヒータとして所定回数だけ電源がオンする度に実行したり、所定日数を経過する度に実行したりすることができる。或いは、市水循環路２６０に流量計を設けて、かかる流量計で測定した市水の延べ流量が所定量に達する度に、ローテーションを実行することもできる。
【００５４】
以上説明したように、温泉施設７００では、各個室に源泉掛け流しの浴槽を配置しているので、家族や友人同士といったグループ単位でのプライバシーを確保した上での温泉入浴が可能となる。また、個室を１２室備えているので、温泉施設７００全体として比較的多くの利用者を受け入れることができる。また、一部の個室において浴槽等の設備のメンテナンスを行う場合であっても他の個室を利用することができるので、メンテナンス時の利用可能人数が大幅に減ることを抑制することができる。また、各個室の給水栓に供給する市水を温めるのに源泉の熱を利用するので、市水を加熱するためのコストの上昇を抑えることができる。また、市水を加熱するために、５台のヒータｈ１〜ｈ５を並列接続して用いるようにしているので、比較的処理能力の低い市販のヒータ（家庭用ボイラ等）を採用することができる。したがって、一度に多量の市水を加熱可能な専用ヒータを用いる構成に比べて供給システム１０００の構築費用を低廉に抑えることができる。また、市販のヒータを採用することで、故障時における交換部品も比較的安価で手に入れることができ、メンテナンスコストの上昇を抑えることができる。また、市販のヒータを採用することで、保温モード等においてヒータを動作させるための電気代や燃料費等を、専用ヒータを用いる構成に比べて低廉に抑えることができる。また、１台のヒータが故障した場合であっても、残りの４台のヒータを用いて市水の加熱・保温を行うことができるというメリットもある。また、保温用ヒータとして用いるヒータを５台のヒータｈ１〜ｈ５の中でローテーションさせるので、特定のヒータのみを用いる構成に比べて、特定のヒータにおける極端な経時劣化を抑え、安定した市水の温度調整を実現することができる。
【００５５】
Ｂ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００５６】
Ｂ１．変形例１：
上述した実施例では、源泉の温度調整を行うために、熱交換機３００を用いて、比較的高温の源泉と比較的低温の市水とで熱交換を行っていたが、本発明は、これに限定されるものではない。例えば、予め源泉タンク５０とは別に汲み置いて室温まで水温を低下させた源泉を、源泉タンク５０内に溜められた源泉と混ぜることで、源泉供給路２００に供給する源泉の温度調整を行うこともできる。すなわち、一般には、源泉井戸から汲み上げた源泉の温度を調整可能な任意の水温調整機構を、本発明の温泉施設に採用することができる。
【００５７】
Ｂ２．変形例２：
上述した実施例では、張り湯の場合と、差し湯の場合とで、源泉供給路２００に供給する源泉の量を異なるようにしていたが、これに代えて、いずれの場合も同じ量の源泉を源泉供給路２００に供給することもできる。また、張り湯の場合と、差し湯の場合とで、源泉供給路２００に供給する源泉の温度を異なるようにしていたが、これに代えて、いずれも場合も同じ温度とすることもできる。また、浴槽からの排水及び張り湯を行うタイミングも、営業時間が終了した後に限らず、各利用者の利用が終了する都度や、各個室について所定数の利用（例えば、連続３回の利用など）が終了したタイミングなどに行うこともできる。
【００５８】
Ｂ３．変形例３：
上述した実施例では、加熱モードにおいて、運転させる（電源をオンのままにする）ヒータの台数は、温度の上昇に伴って１台ずつ減らしていたが、本発明はこれに限定されるものではない。例えば、２台ずつや３台ずつなど、任意の台数ずつ減らすようにしてもよい。また、保温モードにおいて保温用ヒータとして運転させるヒータの台数は１台であったが、これに代えて、２台や３台など任意の台数のヒータを保温用ヒータとして運転させることもできる。
【００５９】
Ｂ４．変形例４：
上述した実施例では、保温モードにおいて保温用ヒータとして運転させるヒータを、５台のヒータｈ１〜ｈ５の中でローテーションさせていたが、本発明はこれに限定されるものではない。例えば、第１ヒータｈ１と第２ヒータｈ２との２台の中でローテーションさせるようにしてもよい。また、ローテーションの順番を固定的に決めておくことに代えて、ローテーションしようとする度にランダムに保温用ヒータを決定することもできる。或いは、ローテーションを行わずに、特定のヒータを固定的に保温用ヒータとして用いるようにしてもよい。すなわち、一般には、本発明の温泉施設では、複数のヒータのうち所定台数のヒータを保温用ヒータとして用いることができる。
【００６０】
Ｂ５．変形例５：
上述した実施例では、各個室の給水栓に供給する水は、市水（水道水）であったが、市水に代えて、井水（井戸水）とすることもできる。或いは、源泉井戸３０とは異なる井戸から冷泉から汲み出し、温泉施設７００まで運んできて貯湯槽１００に貯蔵する構成とすることもできる。
【００６１】
Ｂ６．変形例６：
上述した実施例では、供給システム１０００は、給水システム９００を備えるものとしたが、給水システム９００を備えず、源泉供給システム８００のみを備える構成とすることもできる。すなわち、源泉のみを各個室Ｒ１〜Ｒ１２のそれぞれの浴槽に供給する構成とすることもできる。
【００６２】
Ｂ７．変形例７：
上述した実施例では、給水システム９００は、温泉施設７００において各個室に市水を供給していたが、温泉施設に代えて、他の施設において市水を供給することに利用することもできる。例えば、ホテルの各部屋や、マンションの各戸や、テナントビルにおける各テナント等に市水を供給するために用いることもできる。すなわち、一般には、市水を取り扱う複数の個室を有する施設において、各個室に市水を供給するために給水システムを用いることもできる。
【図面の簡単な説明】
【００６３】
【図１】本発明の一実施例としての温泉施設の外観を模式的に示す平面図である。
【図２】図１に示す温泉施設７００における源泉及び市水の供給システムを示す説明図である。
【図３】貯湯槽１００に溜められた市水の温度変化を示すグラフである。
【符号の説明】
【００６４】
１ａ，２ａ…源泉栓
１ｂ〜１２ｂ，７１ｂ〜１２１ｂ…浴槽
１ｃ，１ｂ…給水栓
３０…源泉井戸
５０…源泉タンク
１００…貯湯槽
１５０…ローテーション制御部
１６０…切替スイッチ
１８０，１９０…バイパス流路
２００…源泉供給路
２５０…給水路
２６０…市水循環路
３００…熱交換機
７００…温泉施設
７０１…玄関
７０２…受付カウンタ
７０３…待合用椅子
７１０…エントランスホール
７２１〜７２４…予備室
７３０…中央通路
８００…源泉供給システム
９００…給水システム
１０００…供給システム
ＴＩＣ１〜ＴＩＣ３…温度指示調節計
Ｔａ…目標温度
Ｐ１〜Ｐ４…ポンプ
Ｃ１…コントローラ
Ｂ１〜Ｂ４…シャットバルブ
ｈ１…第１ヒータ
ｈ２…第２ヒータ
ｈ３…第３ヒータ
ｈ４…第４ヒータ
ｈ５…第５ヒータ
Ｒ１〜Ｒ１２…個室
ｒ２〜ｒ６…リレー回路
ＬＣ…レベルコントローラ
ＬＳ…レベルセンサ
ＴＳ１，ＴＳ２…温度センサ
ＩＶ１，ＩＶ２…コントローラ
【図１】
2009030881.tif 000003
【図２】
2009030881.tif 000004
【図３】
2009030881.tif 000005